(57)【要約】【課題】接続される電子機器に搭載された電子機器側電池２１０の充電状態を監視しつつ、自身に搭載されたルータ側電池の充電処理を効率よく制御すること。【解決手段】ＵＳＢ制御部１２０は電子機器側二次電池２１０を有する電子機器２００に接続されたか否かを判定する。充電制御部１４０はルータ側残り時間を取得するとともに、ルータ側二次電池１３０の充電を制御する。電子機器側二次電池使用状態取得部１６１は、ＵＳＢ制御部１２０により電子機器２００が接続されたと判定された場合、電子機器側二次電池使用情報と、電子機器側残り時間とを取得する。残り時間比較部１６２は、ルータ側残り時間情報および電子機器側残り時間情報を比較する。充電制御部１４０は、電子機器側二次電池使用情報と残り時間比較部１６２の比較結果に基づいて、ルータ側二次電池を充電する。【選択図】      図１
2015177671.tif 000002
【特許請求の範囲】
【請求項１】
電子機器側二次電池を有する電子機器に接続されたか否かを判定する接続制御部と、
ルータ側二次電池の蓄電残量に基づいて動作できる残り時間であるルータ側残り時間を取得するとともに、前記ルータ側二次電池の充電を制御する充電制御部と、
前記接続制御部により前記電子機器が接続されたと判定された場合、前記電子機器が前記電子機器側二次電池に蓄電された電荷を使用しているか否かの情報である電子機器側二次電池使用情報と、前記接続制御部に接続された前記電子機器の前記電子機器側二次電池の蓄電残量に基づいて前記電子機器が動作できる残り使用時間である電子機器側残り時間とを、取得する電子機器側二次電池使用状態取得部と、
前記ルータ側残り時間情報および前記電子機器側残り時間情報を比較する残り時間比較部とを備え、
前記充電制御部は、前記電子機器側二次電池使用状態取得部により取得された前記電子機器側二次電池使用情報と、前記残り時間比較部の比較結果に基づいて、前記ルータ側二次電池を充電するルータ装置。
【請求項２】
前記電子機器側二次電池使用状態取得部が、前記電子機器が前記電子機器側二次電池に蓄電された電荷を使用しているとの前記電子機器側二次電池使用情報を受け取り、且つ、前記残り時間比較部が、前記ルータ側残り時間が前記電子機器側残り時間よりも長いと判定した場合、
前記充電制御部は、前記ルータ側二次電池の充電を停止する請求項１に記載のルータ装置。
【請求項３】
前記電子機器側二次電池使用状態取得部が、前記電子機器が前記電子機器側二次電池に蓄電された電荷を使用していないとの前記電子機器側二次電池使用情報を受け取るか、または、前記残り時間比較部が、前記ルータ側残り時間が前記電子機器側残り時間よりも長くないと判定した場合、
前記充電制御部は、前記ルータ側二次電池の充電を行う請求項１に記載のルータ装置。
【請求項４】
前記電子機器側二次電池使用状態取得部および前記残り時間比較部に代えて、
外部の通信機器との間でデータを通信する通信部と、
前記通信部が前記データを送信する際の送信出力を取得する送信出力取得部とを備え、
前記充電制御部は、前記送信出力取得部により取得された前記送信出力に基づいて、前記ルータ側二次電池を充電する請求項１に記載のルータ装置。
【請求項５】
前記送信出力取得部により取得された前記送信出力が所定の閾値よりも小さい場合、前記充電制御部は、前記ルータ側二次電池の充電を停止する請求項４に記載のルータ装置。
【請求項６】
前記送信出力取得部により取得された前記送信出力が所定の閾値よりも大きい場合、前記充電制御部は、前記ルータ側二次電池の充電を行う請求項４に記載のルータ装置。
【請求項７】
前記電子機器側二次電池使用状態取得部および前記残り時間比較部に代えて、
外部の通信機器との間でデータを通信する通信部と、
前記接続制御部により前記電子機器が接続されたと判定された場合であって、前記通信部が前記外部の通信機器との間でデータ通信を行っている間に、前記充電制御部が、前記ルータ側二次電池の蓄電残量が所定の閾値になるまで、前記ルータ側二次電池の充電行わないモードである長持ちモードに設定するモード設定部とを備え、
前記充電制御部は、前記モード設定部の設定状態と、前記ルータ側二次電池の蓄電残量とに基づいて、前記ルータ側二次電池の充電を行う請求項１に記載のルータ装置。
【請求項８】
前記充電制御部は、前記モード設定部が長持ちモードに設定された場合であって、前記ルータ側二次電池の蓄電残量が前記所定の閾値より大きい場合、前記ルータ側二次電池の充電を停止する請求項７に記載のルータ装置。
【請求項９】
前記充電制御部は、前記モード設定部が長持ちモードに設定された場合、または、前記ルータ側二次電池の蓄電残量が前記所定の閾値より小さい場合、前記ルータ側二次電池の充電を行う請求項７に記載のルータ装置。
【請求項１０】
電子機器側二次電池を有する電子機器に接続されたか否かを判定する接続制御ステップと、
ルータ側二次電池の蓄電残量に基づいて動作できる残り時間であるルータ側残り時間を取得するとともに、前記ルータ側二次電池の充電を制御する充電制御ステップと、
前記接続制御ステップで前記電子機器が接続されたと判定された場合、前記電子機器が前記電子機器側二次電池に蓄電された電荷を使用しているか否かの情報である電子機器側二次電池使用情報と、前記接続制御ステップで接続されたと判定された前記電子機器の前記電子機器側二次電池の蓄電残量に基づいて前記電子機器が動作できる残り使用時間である電子機器側残り時間とを、取得する電子機器側二次電池使用状態取得ステップと、
前記ルータ側残り時間情報および前記電子機器側残り時間情報を比較する残り時間比較ステップとを含み、
前記充電制御ステップでは、前記電子機器側二次電池使用状態取得ステップで取得された前記電子機器側二次電池使用情報と、前記残り時間比較ステップの比較結果に基づいて、前記ルータ側二次電池を充電するルータ制御方法。
【発明の詳細な説明】
【技術分野】
【０００１】
本発明は、ルータ装置等に関し、例えば、ノートＰＣ（personal computer）等の電子機器に接続され、電子機器に搭載の電池から電源供給を受けるものに関する。
【背景技術】
【０００２】
近年、モバイルルータ（移動式のルータ装置）や携帯情報端末（スマートフォン）の普及により、屋外でも気軽にインターネット等を閲覧できる環境が増えてきている。特に、ビジネスにおいては、利用者は、ノートＰＣ（personal computer）（電子機器）とモバイルルータをセットで持ち歩き、外出先でもインターネットやメール等のデータ通信を行うことができる。また、ノートＰＣとモバイルルータをＵＳＢ（Universal Serial Bus）コネクタで接続することにより、ＥｏＵ（Ethernet（登録商標） over USB）通信が可能となり、更にモバイルルータ本体内の二次電池を充電することもできる。
【０００３】
この技術に関連して、例えば、特許文献１に記載の技術が知られている。
【先行技術文献】
【特許文献】
【０００４】
【特許文献１】特開２００８−１６７５４３号公報
【発明の概要】
【発明が解決しようとする課題】
【０００５】
しかしながら、ノートＰＣとモバイルルータを屋外で使用する場合、ノートＰＣもモバイルルータもコンセントに接続されていない。この場合、モバイルルータは、ノートＰＣまたはモバイルルータに搭載された電池の電源により動作することになる。従って、必要以上にノートＰＣからモバイルルータへ電源を供給してしまうと、モバイルルータを使用できる状態でも肝心なノートＰＣの電池が切れてしまい、ノートＰＣはインターネットやメール等の通信を行えなくなるという問題があった。
【０００６】
本発明は、このような事情を鑑みてなされたものであり、本発明の目的は、接続される電子機器に搭載された電子機器側電池の充電状態を監視しつつ、自身に搭載されたルータ側電池の充電処理を効率よく制御することができるルータ装置等を提供することにある。
【課題を解決するための手段】
【０００７】
本発明のルータ装置は、電子機器側二次電池を有する電子機器に接続されたか否かを判定する接続制御部と、ルータ側二次電池の蓄電残量に基づいて動作できる残り時間であるルータ側残り時間を取得するとともに、前記ルータ側二次電池の充電を制御する充電制御部と、前記接続制御部により前記電子機器が接続されたと判定された場合、前記電子機器が前記電子機器側二次電池に蓄電された電荷を使用しているか否かの情報である電子機器側二次電池使用情報と、前記接続制御部に接続された前記電子機器の前記電子機器側二次電池の蓄電残量に基づいて前記電子機器が動作できる残り使用時間である電子機器側残り時間とを、取得する電子機器側二次電池使用状態取得部と、前記ルータ側残り時間情報および前記電子機器側残り時間情報を比較する残り時間比較部と、前記充電制御部は、前記電子機器側二次電池使用状態取得部により取得された前記電子機器側二次電池使用情報と、前記残り時間比較部の比較結果に基づいて、前記ルータ側二次電池を充電する。
【０００８】
本発明のルータ制御方法は、電子機器側二次電池を有する電子機器に接続されたか否かを判定する接続制御ステップと、ルータ側二次電池の蓄電残量に基づいて動作できる残り時間であるルータ側残り時間を取得するとともに、前記ルータ側二次電池の充電を制御する充電制御ステップと、前記接続制御ステップで前記電子機器が接続されたと判定された場合、前記電子機器が前記電子機器側二次電池に蓄電された電荷を使用しているか否かの情報である電子機器側二次電池使用情報と、前記接続制御ステップで接続されたと判定された前記電子機器の前記電子機器側二次電池の蓄電残量に基づいて前記電子機器が動作できる残り使用時間である電子機器側残り時間とを、取得する電子機器側二次電池使用状態取得ステップと、前記ルータ側残り時間情報および前記電子機器側残り時間情報を比較する残り時間比較ステップとを含み、前記充電制御ステップでは、前記電子機器側二次電池使用状態取得ステップで取得された前記電子機器側二次電池使用情報と、前記残り時間比較ステップの比較結果に基づいて、前記ルータ側二次電池を充電する。
【発明の効果】
【０００９】
本発明にかかるルータ装置等によれば、接続される電子機器に搭載された電子機器側電池の充電状態を監視しつつ、自身に搭載されたルータ側電池の充電処理を効率よく制御することができる。
【図面の簡単な説明】
【００１０】
【図１】本発明の第１の実施の形態におけるルータ装置を含む構成を示すブロック図である。
【図２】本発明の第１の実施の形態におけるルータ装置を含む構成を簡略的に示す概念図である。
【図３】本発明の第１の実施の形態におけるルータ装置の動作の流れを示すフロー図である。
【図４】本発明の第２の実施の形態におけるルータ装置を含む構成を示すブロック図である。
【図５】本発明の第２の実施の形態におけるルータ装置の動作の流れを示すフロー図である。
【図６】本発明の第３の実施の形態におけるルータ装置を含む構成を示すブロック図である。
【図７】本発明の第３の実施の形態におけるルータ装置の動作の流れを示すフロー図である。
【発明を実施するための形態】
【００１１】
＜第１の実施の形態＞
本発明の第１の実施の形態におけるルータ装置１００を含む構成について説明する。
【００１２】
図１は、ルータ装置１００を含む構成を示すブロック図である。図２は、ルータ装置２００を含む構成を簡略的に示す概念図である。
【００１３】
図１および図２に示されるように、ルータ装置１００は、電子機器２００と、ＵＳＢケーブル３００により接続されている。ここで、ルータ装置１００は、例えばモバイルルータである。また、電子機器２００は、例えば、ノートＰＣである。また、電子機器２００には、ＡＣアダプタ４００が接続されている。ＡＣアダプタ４００は、コンセント５００に接続される。
【００１４】
図１に示されるように、ルータ装置１００は、通信部１１０と、ＵＳＢ制御部１２０と、ルータ側二次電池１３０と、充電制御部１４０と、電源制御部１５０と、制御部１６０と、メモリ１７１と、記憶部１７２と、入力部１７３と、出力部１７４とを備えている。なお、通信部１１０と、ＵＳＢ制御部１２０と、ルータ側二次電池１３０と、充電制御部１４０と、電源制御部１５０と、制御部１６０と、メモリ１７１と、記憶部１７２と、入力部１７３と、出力部１７４は、ＨＡＢを介して、互いに接続されている。
【００１５】
通信部１１０は、ＨＡＢに接続されている。通信部１１０は、外部の通信機器（不図示）等との間で、データ通信を行う。通信部１１０は、ＬＴＥ（Long Term Evolution）／３Ｇ制御部１１１と、無線ＬＡＮ／ＢＴ（Bluetooth（登録商標））制御部１１２とを備えている。
【００１６】
ＬＴＥ／３Ｇ制御部１１１は、通信部１１０内に設けられている。ＬＴＥ／３Ｇ制御部１１１は、ＬＴＥ回線または３Ｇ（例えば、Ｗ−ＣＤＭＡ（Wideband Code Division Multiple Access））回線を介して、ＷＡＮ（Wide Area Network）側ネットワークとの通信を行い、他の通信機器との間でデータ通信を行う。このとき、ＬＴＥ／３Ｇ制御部１１１は、メモリ１７１に書き込まれたデータを読み出し、ＷＡＮ側ネットワークに出力する。また、ＬＴＥ／３Ｇ制御部１１１は、ＷＡＮ側ネットワークにより入力されたデータをメモリ１７１に書き込む。なお、ＬＴＥは、携帯電話の通信規格の１つであって、標準化団体である３ＧＰＰ（Third Generation Partnership Project）にて作成された。
【００１７】
無線ＬＡＮ／ＢＴ制御部１１２は、通信部１１０内に設けられている。無線ＬＡＮ／ＢＴ制御部１１２は、無線ＬＡＮまたはＢｌｕｅｔｏｏｔｈを用いて、ＬＡＮとの通信を行い、他の通信機器との間でデータ通信を行う。このとき、無線ＬＡＮ／ＢＴ制御部１１２は、電子機器２００等から入力されるデータをメモリ１７１に書き込む。また、無線ＬＡＮ／ＢＴ制御部１１２は、ＬＴＥ／３Ｇ制御部１１１により取得されたＷＡＮ側ネットワークからのデータ（ＬＴＥ／３Ｇ制御部１１１により取得されたデータ）をメモリ１７１から読み出し、電子機器２００へ出力する。
【００１８】
ＵＳＢ制御部１２０は、ＨＡＢに接続されている。また、ＵＳＢ制御部１２０は、ＵＳＢコネクタケーブル３００を介して、電子機器２００に接続されている。ＵＳＢ制御部１２０は、ＵＳＢコネクタケーブル３００を介して、電子機器２００との間で、データ通信を行う。また、ＵＳＢ制御部１２０は、電子機器２００に接続されたか否かを判定する。また、ＵＳＢ制御部１２０は、ＵＳＢコネクタケーブル３００を介して電子機器２００に接続された際に、ルータ装置２００用の電源を電源制御部１５０に供給する。同様に、ＵＳＢ制御部１２０は、ルータ装置２００用のＡＣアダプタに接続されているとき、ルータ装置２００用の電源を電源制御部１５０に供給する。また、ＵＳＢ制御部１２０は、ＵＳＢコネクタケーブル３００を介して電子機器２００に接続されているとき、電子機器２００等から入力されるデータをメモリ１７１に書き込む。同様に、ＵＳＢ制御部１２０は、ＵＳＢコネクタケーブル３００を介して電子機器２００に接続されているとき、ＬＴＥ／３Ｇ制御部１１１により取得されたＷＡＮ側ネットワークからのデータ（ＬＴＥ／３Ｇ制御部１１１により取得されたデータ）をメモリ１７１から読み出し、電子機器２００へ出力する。ＵＳＢ制御部１２０は、本発明の接続制御部に対応する。
【００１９】
ルータ側二次電池１３０は、充電制御部１４０に接続されている。ルータ側二次電池１３０は、ルータ装置１００が動作するための電荷を、充電制御部１４０による制御によって蓄電する。
【００２０】
充電制御部１４０は、ＨＡＢ、ルータ側二次電池１３０および電源制御部１５０に接続されている。充電制御部１４０は、ルータ側二次電池１３０の充電を制御する。すなわち、充電制御部１４０は、制御部１６０からの充電命令に従って、ルータ側二次電池１３０の充電を制御する。また、充電制御部１４０は、ルータ側二次電池１３０の蓄電残量（電池残量）を監視し、これを制御部１６０へ出力する。すなわち、充電制御部１４０は、ルータ側二次電池１３０の蓄電残量に基づいてルータ装置１００が動作できる残り時間であるルータ側残り時間を取得し、これを制御部１６０へ出力する。
【００２１】
電源制御部１５０は、ＨＡＢおよび充電制御部１４０に接続されている。電源制御部１５０は、ルータ装置１００全体の電源を制御する。制御部１６０が、ルータ側二次電池１３０に対する充電停止命令を出した場合、電源制御部１５０は、ＵＳＢ制御部１２０により供給される電源を遮断（例えば、５Ｖ電源）する。
【００２２】
制御部１６０は、ＨＡＢに接続されている。制御部１６０は、ルータ装置１６０全体の制御を行う。制御部１６０は、通信部１１０およびＵＳＢ制御部１２０に対して、通信に関する命令を出力する。また、制御部１６０は、充電制御部１４０に対して、ルータ側二次電池１３０に充電を行わせる命令号や充電を停止させる命令を出力する。また、制御部１６０は、電源制御部１５０に対して、ルータ装置１００全体の電源を制御させる命令を出力する。また、制御部１６０は、入力部１７３に対して、入力部１７３より入力される情報を処理させる命令を出力する。さらに、制御部１６０は、出力部１７４に対して、ユーザに表示提供する情報を表示させる命令を出力する。
【００２３】
制御部１６０は、電子機器側二次電子使用状態取得部１６１と、残り時間比較部１６２とを備えている。
【００２４】
電子機器側二次電子使用状態取得部１６１は、制御部１６０内に設けられている。電子機器側二次電子使用状態取得部１６１は、ＵＳＢ制御部１２０により電子機器２００が接続されたと判定された場合、電子機器側二次電池使用情報および電子機器側残り時間を取得する。ここで、電子機器側二次電池使用情報とは、電子機器２００が電子機器側二次電池２１０に蓄電された電荷を使用しているか否かの情報である。電子機器側残り時間とは、ＵＳＢ制御部１２０に接続された電子機器２００の電子機器側二次電池２１０の蓄電残量に基づいて、電子機器２００が動作できる残り使用時間である。
【００２５】
残り時間比較部１６２は、制御部１６０内に設けられている。残り時間比較部１６２は、ルータ側残り時間情報および電子機器側残り時間情報を比較する。
【００２６】
メモリ１７１は、ＨＡＢに接続されている。メモリ１７１は、データや不揮発値を管理する。具体的には、メモリ１７１は、ルータ装置１００の不揮発データや通信データを格納し、制御部１６０等の他のブロックからの命令に従ってデータの読み書きを行う。
【００２７】
記憶部１７２は、ＨＡＢに接続されている。記憶部１７２は、外部ストレージ機能を有する。すなわち、ルータ装置２００がアクセスポイント（ＡＰ：Access Point）として動作する場合、記憶部１７２は外部ストレージ機能として使用される。
【００２８】
入力部１７３は、ＨＡＢに接続されている。入力部１７３は、ユーザが設定等を行うために設けられている。入力部１７３は、ユーザインターフェイス（不図示）により行われる設定変更等の制御信号等を制御部１６０に通知する。
【００２９】
出力部１７４は、ＨＡＢに接続されている。出力部１７４は、様々な情報をユーザに対して表示提供する。出力部１７４は、制御部１６０から表示用のデータを受け取り、これを画面表示する。出力部１７４には、例えば、液晶表示装置や有機ＥＬ（Electro-Luminescence）表示装置等が用いられる。
【００３０】
図１に示されるように、電子機器２００は、電子機器側二次電池２１０を備えている。電子機器２００は、ＵＳＢケーブル３００を介して、ルータ装置１００のＵＳＢ制御部に接続されている。電子機器２００は、ＵＳＢケーブル３００を介して、ルータ装置１００との間で、データ通信を行う。
【００３１】
電子機器側二次電池２１０は、電子機器２００が動作するための電荷を蓄電する。
【００３２】
以上、ルータ装置１００および電子機器２００の構成について説明した。
【００３３】
次に、ルータ装置１００の動作について説明する。図３は、ルータ装置１００の動作の流れを示すフロー図である。
【００３４】
図３に示されるように、ルータ装置２００のＵＳＢ制御部１２０が、ＵＳＢケーブル接続を確認する（Ｓ１０１）。ＵＳＢケーブル３００がルータ装置２００に接続され、電子機器２００やＡＣアダプタがルータ装置１００に接続されると、ＵＳＢ制御部１２０には所定の電源（例えば、最大５Ｖ・５００ｍＡの電源）が供給される。このとき、ＵＳＢ制御部１２０は、制御部１６０に対して、ＵＳＢケーブル３００がルータ装置２００に接続されたことを通知する。また、ＵＳＢ制御部１２０は、電源制御部１５０に対して、電源を供給する。
【００３５】
次に、ＵＳＢ制御部１２０は、接続先を確認する（Ｓ１０２）。すなわち、ＵＳＢ制御部１２０は、ＵＳＢの（Ｄ＋／Ｄ−）端子により、接続先が電子機器２００なのか、またはＡＣアダプタなのかを示す情報を取得し、これを制御部１６０に通知する。
【００３６】
以上の通り、ＵＳＢ制御部１２０は、Ｓ１０１およびＳ１０２の処理を通じて、ルータ装置２００が電子機器２００に接続されたか否かを判定する。
【００３７】
次に、接続先が電子機器２００である場合（Ｓ１０３、ＹＥＳ）、制御部１６０はＳ１０４の処理を行う。すなわち、制御部１６０の電子機器側二次電子使用状態取得部１６１は、ＵＳＢのＩｎｔｅｒｒｕｐｔ転送を利用して、ＵＳＢ制御部１２０を介して、電子機器２００の動作状態に関する情報として、電子機器側二次電池使用情報および電子機器側残り時間を取得する（Ｓ１０４）。すなわち、電子機器側二次電子使用状態取得部１６１は、ＵＳＢ制御部１２０により電子機器２００が接続されたと判定された場合、電子機器側二次電池使用情報および電子機器側残り時間を取得する。ここで、電子機器側二次電池使用情報とは、電子機器２００が電子機器側二次電池２１０に蓄電された電荷を使用しているか否かの情報である。すなわち、電子機器側二次電池使用情報とは、電子機器２００が、電子機器側二次電池２１０からの電源供給による動作状態か、ＡＣアダプタからの電源供給による動作状態かに基づく情報ともいえる。電子機器側残り時間とは、ＵＳＢ制御部１２０に接続された電子機器２００の電子機器側二次電池２１０の蓄電残量に基づいて、電子機器２００が動作できる残り使用時間である。
【００３８】
一方、接続先が電子機器２００でない場合（Ｓ１０３、ＮＯ）、制御部１６０はＳ１０９の処理を行う。すなわち、充電制御部１４０は、ルータ装置２００のルータ側二次電池１３０の充電をＯＮとする（Ｓ１０９）。具体的には、まず制御部１６０が、充電制御部１４０に対して、ルータ側二次電池１３０を充電する命令を出力する。そして、充電制御部１４０は、制御部１６０の命令に従って、ルータ側二次電池１３０を充電する。
【００３９】
次に、制御部１６０は、Ｓ１０４の処理で取得した電子機器側二次電池使用情報に基づいて、電子機器２００が、電子機器側二次電池２１０により駆動しているのか否かを判断する（Ｓ１０５）。すなわち、制御部１６０は、電子機器２００が電子機器側二次電池２１０に蓄電された電荷を使用しているか否かを判断する。換言すると、制御部１６０は、電子機器側二次電池２１０からの電源供給による動作状態か、ＡＣアダプタからの電源供給による動作状態かを判断する。この際、電子機器２００が電子機器側二次電池２１０に蓄電された電荷を使用している場合、制御部１６０は、電子機器２００とルータ装置１００が接続されていることも認識する。
【００４０】
電子機器２００が電子機器側二次電池２１０により駆動している状態（電子機器２００が電子機器側二次電池２１０に蓄電された電荷を使用している状態）であると制御部１６０により判断された場合（Ｓ１０５、ＹＥＳ）、Ｓ１０６の処理へ遷移する。
【００４１】
すなわち、制御部１６０の残り時間比較部１６２が、ルータ側残り時間情報および電子機器側残り時間情報を比較する（Ｓ１０６）。ここで、前述の通り、ルータ側残り時間情報とは、ルータ側二次電池１３０の蓄電残量に基づいて、ルータ装置１００が動作できる残り使用時間である。また、電子機器側残り時間とは、ＵＳＢ制御部１２０に接続された電子機器２００の電子機器側二次電池２１０の蓄電残量に基づいて、電子機器２００が動作できる残り使用時間である。電子機器側残り時間は、Ｓ１０４の処理で取得される。ルータ側残り時間は、このＳ１０６の処理中で、充電制御部１４０により取得される。
【００４２】
一方、電子機器２００が電子機器側二次電池２１０により駆動していない状態（ＡＣアダプタからの電源供給による動作状態）であると制御部１６０により判断された場合（Ｓ１０５、ＮＯ）、Ｓ１０８の処理へ遷移する。すなわち、充電制御部１４０は、ルータ装置２００のルータ側二次電池１３０の充電をＯＮとする（Ｓ１０８）。具体的には、まず制御部１６０が、充電制御部１４０に対して、ルータ側二次電池１３０を充電する命令を出力する。そして、充電制御部１４０は、制御部１６０の命令に従って、ルータ側二次電池１３０を充電する。そして、Ｓ１０８の処理の後、ルータ装置１００は、Ｓ１０４に戻り、Ｓ１０４以降の同じ処理を繰り返す。
【００４３】
ルータ側残り時間が電子機器側残り時間よりも長いと、残り時間比較部１６２により判定された場合（Ｓ１０６、ＹＥＳ）、Ｓ１０７の処理に遷移する。
【００４４】
すなわち、充電制御部１４０は、ルータ装置２００のルータ側二次電池１３０の充電をＯＦＦとする（Ｓ１０７）。具体的には、まず制御部１６０が、充電制御部１４０に対して、ルータ側二次電池１３０の充電を停止する命令を出力する。そして、充電制御部１４０は、制御部１６０の命令に従って、ルータ側二次電池１３０の充電を停止する。また、電源制御部１５０は、ＵＳＢ制御部１２０により入力される電源供給を遮断する。具体的には、まず制御部１６０が、電源制御部１５０に対して、電源供給を停止する命令を出力する。そして、電源制御部１５０は、制御部１６０の命令に従って、ＵＳＢ制御部１２０により入力される電源供給を遮断する。そして、Ｓ１０７の処理の後、ルータ装置１００は、Ｓ１０４に戻り、Ｓ１０４以降の同じ処理を繰り返す。
【００４５】
一方、ルータ側残り時間が電子機器側残り時間よりも長くないと、残り時間比較部１６２により判定された場合（Ｓ１０６、ＮＯ）、Ｓ１０８の処理に遷移する。Ｓ１０８の処理は、上述の通りである。そして、Ｓ１０８の処理の後、ルータ装置１００は、Ｓ１０４に戻り、Ｓ１０４以降の同じ処理を繰り返す。
【００４６】
以上、ルータ装置１００の動作について説明した。
【００４７】
以上の通り、本発明の第１の実施の形態におけるルータ装置１００は、ＵＳＢ制御部１２０（接続制御部）と、充電制御部１４０と、電子機器側二次電池使用状態取得部１６１と、残り時間比較部１６２とを備えている。ＵＳＢ制御部１２０は、電子機器側二次電池２１０を有する電子機器２００に接続されたか否かを判定する。充電制御部１４０は、ルータ側二次電池１３０の蓄電残量に基づいて動作できる残り時間であるルータ側残り時間を取得するとともに、ルータ側二次電池１３０の充電を制御する。電子機器側二次電池使用状態取得部１６１は、ＵＳＢ制御部１２０により電子機器２００が接続されたと判定された場合、電子機器側二次電池使用情報と、残り使用時間である電子機器側残り時間とを取得する。電子機器側二次電池使用情報は、電子機器２００が電子機器側二次電池２１０に蓄電された電荷を使用しているか否かの情報である。電子機器側残り時間は、ＵＳＢ制御部１２０に接続された電子機器２００の電子機器側二次電池２１０の蓄電残量に基づいて電子機器２００が動作できる残り使用時間である。残り時間比較部１６２は、ルータ側残り時間情報および電子機器側残り時間情報を比較する。充電制御部１４０は、電子機器側二次電池使用状態取得部１６１により取得された電子機器側二次電池使用情報と、残り時間比較部１６２の比較結果に基づいて、ルータ側二次電池を充電する。
【００４８】
このように、電子機器側二次電池使用状態取得部１６１は、ＵＳＢ制御部１２０により電子機器２００が接続されたと判定された場合、電子機器側二次電池使用情報と、残り使用時間である電子機器側残り時間とを取得する。これにより、ルータ装置１００は、接続される電子機器に搭載された電子機器側電池の充電状態を監視することができる。
【００４９】
また、残り時間比較部１６２は、ルータ側残り時間情報および電子機器側残り時間情報を比較する。そして、充電制御部１４０は、電子機器側二次電池使用情報と、残り時間比較部１６２の比較結果に基づいて、ルータ側二次電池を充電する。これにより、ルータ装置１００は、自身に搭載されたルータ側電池の充電処理を効率よく制御することができる
したがって、本発明の第１の実施の形態におけるルータ装置１００によれば、接続される電子機器２００に搭載された電子機器側電池２１０の充電状態を監視しつつ、自身に搭載されたルータ側電池１３０の充電処理を効率よく制御することができる。
【００５０】
また、本発明の第１の実施の形態におけるルータ装置１００において、電子機器側二次電池使用状態取得部１６１が、電子機器２００が電子機器側二次電池２１０に蓄電された電荷を使用しているとの電子機器側二次電池使用情報を受け取り、且つ、残り時間比較部１６２が、ルータ側残り時間が前記電子機器側残り時間よりも長いと判定した場合、充電制御部１４０は、ルータ側二次電池１３０の充電を停止する。
【００５１】
このように、電子機器２００が電子機器側二次電池２１０に蓄電された電荷を使用しており、ルータ側残り時間が前記電子機器側残り時間よりも長い場合、充電制御部１４０は、ルータ側二次電池１３０の充電を停止する。これにより、電子機器２００の電子機器側二次電池２１０の電力が無駄に消費されることを抑止できる。この結果、電子機器２００の使用時間を効率よく延ばすことができる。
【００５２】
また、本発明の第１の実施の形態におけるルータ装置１００において、電子機器側二次電池使用状態取得部１６１が、電子機器２００が電子機器側二次電池２１０に蓄電された電荷を使用していないとの電子機器側二次電池使用情報を受け取るか、または、残り時間比較部１６２が、ルータ側残り時間が電子機器側残り時間よりも長くないと判定した場合、充電制御部１４０は、ルータ側二次電池１３０の充電を行う。
【００５３】
このように、電子機器２００が電子機器側二次電池２１０に蓄電された電荷を使用しておらず、ルータ側残り時間が電子機器側残り時間よりも長くない場合、充電制御部１４０はルータ側二次電池１３０の充電を行う。これにより、電子機器２００の電子機器側二次電池２１０の電荷を効率よくルータ側二次電池１３０に供給できる。この結果、ルータ装置１００の使用時間を効率よく延ばすことができる。
【００５４】
また、本発明の第１の実施の形態におけるルータ制御方法は、接続制御ステップと、充電制御ステップと、電子機器側二次電池使用状態取得ステップと、残り時間比較ステップとを含んでいる。接続制御ステップでは、電子機器側二次電池２１０を有する電子機器２００に接続されたか否かを判定する。充電制御ステップでは、ルータ側二次電池１３０の蓄電残量に基づいて動作できる残り時間であるルータ側残り時間を取得するとともに、ルータ側二次電池１３０の充電を制御する。電子機器側二次電池使用状態取得ステップでは、電子機器側二次電池使用情報と、電子機器側残り時間とを取得する。電子機器側二次電池使用情報とは、接続制御ステップで電子機器２００が接続されたと判定された場合、電子機器２００が電子機器側二次電池２１０に蓄電された電荷を使用しているか否かの情報である。電子機器側残り時間とは、接続制御ステップで接続されたと判定された電子機器２００の電子機器側二次電池２１０の蓄電残量に基づいて電子機器２００が動作できる残り使用時間である。残り時間比較ステップでは、ルータ側残り時間情報および電子機器側残り時間情報を比較する。そして、充電制御ステップでは、電子機器側二次電池使用状態取得ステップで取得された電子機器側二次電池使用情報と、残り時間比較ステップの比較結果に基づいて、ルータ側二次電池を充電する。この制御方法によっても、前述したルータ装置１００と同様の効果を奏する。
【００５５】
＜第２の実施の形態＞
本発明の第２の実施の形態におけるルータ装置１００Ａを含む構成について説明する。
【００５６】
図４は、ルータ装置１００Ａを含む構成を示すブロック図である。なお、図４では、図１〜３で示した各構成要素と同等の構成要素には、図１〜３に示した符号と同等の符号を付している。
【００５７】
図４に示されるように、ルータ装置１００Ａは、電子機器２００と、ＵＳＢケーブル３００により接続されている。ここで、ルータ装置１００Ａは、例えばモバイルルータである。
【００５８】
図４に示されるように、ルータ装置１００Ａは、通信部１１０と、ＵＳＢ制御部１２０と、ルータ側二次電池１３０と、充電制御部１４０と、電源制御部１５０と、制御部１６０Ａと、メモリ１７１と、記憶部１７２と、入力部１７３と、出力部１７４とを備えている。なお、通信部１１０と、ＵＳＢ制御部１２０と、ルータ側二次電池１３０と、充電制御部１４０と、電源制御部１５０と、制御部１６０Ａと、メモリ１７１と、記憶部１７２と、入力部１７３と、出力部１７４は、ＨＡＢを介して、互いに接続されている。
【００５９】
制御部１６０Ａは、ＨＡＢに接続されている。制御部１６０Ａは、ルータ装置１６０全体の制御を行う。制御部１６０Ａは、通信部１１０およびＵＳＢ制御部１２０に対して、通信に関する命令を出力する。また、制御部１６０Ａは、充電制御部１４０に対して、ルータ側二次電池１３０に充電を行わせる命令を出力する。また、制御部１６０Ａは、電源制御部１５０に対して、ルータ装置１００全体の電源を制御させる命令を出力する。また、制御部Ａ１６０は、入力部１７３に対して、入力部１７３より入力される情報を処理させる命令を出力する。さらに、制御部１６０Ａは、出力部１７４に対して、ユーザに表示提供する情報を表示させる命令を出力する。
【００６０】
制御部１６０Ａは、送信出力取得部１６３を備えている。
【００６１】
ここで、図１と図４を対比する。図１では、制御部１６０は、電子機器側二次電子使用状態取得部１６１と、残り時間比較部１６２とを備えていた。これに対して、制御部１６０Ａは、送信出力取得部１６３のみを備えている。この点で、図１および図４は互いに相違する。
【００６２】
送信出力取得部１６３は、通信部１１０がデータを送信する際の送信出力を取得する。例えば、電子機器２００がルータ装置１００ＡにＵＳＢケーブル３００により接続され、外部の電子機器（不図示）をデータ通信（例えば、ＥｏＵ通信）しているとき、送信出力取得部１６３は、ＬＴＥ／３Ｇ制御部１４０の送信出力（送信パワー）を取得する。
【００６３】
また、後述するように、充電制御部１４０は、送信出力取得部１６３により取得された送信出力に基づいて、ルータ側二次電池１３０を充電する。このとき、例えば、充電制御部１４０は、予め設定された閾値（例えば、０ｄＢｍ、もしくはＰｏｗｅｒＡｍｐｌｉｆｉｅｒのＰｏｗｅｒ Ｍｏｄｅの切り替え値）と、送信出力取得部１６３により取得された送信出力とを比較する。そして、充電制御部１４０は、この比較結果に従って、ルータ側二次電池１３０を充電する。
【００６４】
例えば、送信出力取得部１６３により取得された送信出力が予め設定された閾値より小さい場合、ルータ装置２００の消費電力は少ない。この場合、充電制御部１４０は二次電池１３０の充電を停止する。
【００６５】
次に、ルータ装置１００Ａの動作について説明する。図５は、ルータ装置１００Ａの動作の流れを示すフロー図である。なお、図５では、図１〜４で示した各構成要素と同等の構成要素には、図１〜４に示した符号と同等の符号を付している。
【００６６】
図５に示されるように、ルータ装置１００ＡのＵＳＢ制御部１２０が、ＵＳＢケーブル接続を確認する（Ｓ１０１）。
【００６７】
次に、ＵＳＢ制御部１２０は、接続先を確認する（Ｓ１０２）。
【００６８】
以上の通り、ＵＳＢ制御部１２０は、Ｓ１０１およびＳ１０２の処理を通じて、ルータ装置２００が電子機器２００に接続されたか否かを判定する。
【００６９】
次に、接続先が電子機器２００である場合（Ｓ１０３、ＹＥＳ）、制御部１６０ＡはＳ２０４の処理を行う。すなわち、制御部１６０Ａの送信出力取得部１６３が、通信部１１０がデータを送信する際の送信出力を取得する（Ｓ２０４）。より具体的には、電子機器２００がルータ装置１００ＡにＵＳＢケーブル３００により接続され、外部の電子機器（不図示）をデータ通信（例えば、ＥｏＵ通信）しているとき、送信出力取得部１６３は、ＬＴＥ／３Ｇ制御部１４０の送信出力を取得する。そして、制御部１６０Ａは、送信出力取得部１６３により取得された送信出力を充電制御部１４０へ出力する。また、制御部１６０Ａは、予めメモリ１７１に記憶されている送信出力の閾値を取得し、これを充電制御部１４０へ出力する。
【００７０】
一方、接続先が電子機器２００でない場合（Ｓ１０３、ＮＯ）、制御部１６０はＳ１０９の処理を行う。すなわち、充電制御部１４０は、ルータ装置２００のルータ側二次電池１３０の充電をＯＮとする（Ｓ１０９）。Ｓ１０９の具体的な処理内容は、第１の実施の形態で説明した通りである。
【００７１】
次に、充電制御部１４０は、予め設定された閾値と、送信出力取得部１６３により取得された送信出力とを比較する（Ｓ２０５）。
【００７２】
送信出力が閾値より小さいと充電制御部１４０により判断された場合（Ｓ２０５、ＹＥＳ）、Ｓ１０７の処理に遷移する。すなわち、充電制御部１４０は、ルータ装置２００のルータ側二次電池１３０の充電をＯＦＦとする（Ｓ１０７）。Ｓ１０７の具体的な処理内容は、第１の実施の形態で説明した通りである。そして、Ｓ１０７の処理の後、ルータ装置１００は、Ｓ１０４に戻り、Ｓ１０４以降の同じ処理を繰り返す。
【００７３】
一方、送信出力が閾値より小さくないと充電制御部１４０により判断された場合（Ｓ２０５、ＮＯ）、Ｓ１０８の処理へ遷移する。すなわち、充電制御部１４０は、ルータ装置２００のルータ側二次電池１３０の充電をＯＮとする（Ｓ１０８）。Ｓ１０８の具体的な処理内容は、第１の実施の形態で説明した通りである。そして、充電制御部１４０は、制御部１６０の命令に従って、ルータ側二次電池１３０を充電する。そして、Ｓ１０８の処理の後、ルータ装置１００は、Ｓ１０４に戻り、Ｓ１０４以降の同じ処理を繰り返す。
【００７４】
以上、ルータ装置１００Ａの動作について説明した。
【００７５】
以上の通り、本発明の第２の実施の形態におけるルータ装置１００Ａにおいて、本発明の第１の実施の形態におけるルータ装置１００の電子機器側二次電池使用状態取得部１６１および残り時間比較部１６２に代えて、通信部１１０（より具体的には、ＬＴＥ／３Ｇ制御部１１１）と、送信出力取得部１６３とを備えている。通信部１１０（ＬＴＥ／３Ｇ制御部１１１）は、外部の通信機器（不図示）との間でデータを通信する。送信出力取得部１６３は、通信部１１０（ＬＴＥ／３Ｇ制御部１１１）がデータを送信する際の送信出力を取得する。充電制御部１４０は、送信出力取得部１６３により取得された送信出力に基づいて、ルータ側二次電池１３０を充電する。
【００７６】
このように、送信出力取得部１６３は、通信部１１０（ＬＴＥ／３Ｇ制御部１１１）がデータを送信する際の送信出力を取得する。これにより、ルータ装置１００Ａは、データ送信中の消費電力を取得できる。充電制御部１４０は、送信出力取得部１６３により取得された送信出力に基づいて、ルータ側二次電池１３０を充電する。これにより、ルータ装置１００は、自身の消費電力に応じて、自身に搭載されたルータ側電池の充電処理を効率よく制御することができる。
【００７７】
また、本発明の第２の実施の形態におけるルータ装置１００Ａにおいて、送信出力取得部１６３により取得された送信出力が所定の閾値よりも小さい場合、充電制御部１４０は、ルータ側二次電池１３０の充電を停止する。これにより、電子機器２００の電子機器側二次電池２１０の電力が無駄に消費されることを抑止できる。この結果、電子機器２００の使用時間を効率よく延ばすことができる。
【００７８】
また、本発明の第２の実施の形態におけるルータ装置１００Ａにおいて、送信出力取得部１６３により取得された送信出力が所定の閾値よりも大きい場合、充電制御部１４０は、ルータ側二次電池１３０の充電を行う。これにより、電子機器２００の電子機器側二次電池２１０の電荷を効率よくルータ側二次電池１３０に供給できる。この結果、ルータ装置１００の使用時間を効率よく延ばすことができる。
【００７９】
＜第３実施の形態＞
本発明の第３実施の形態におけるルータ装置１００Ｂ含む構成について説明する。
【００８０】
図６は、ルータ装置１００Ｂを含む構成を示すブロック図である。なお、図６では、図１〜５で示した各構成要素と同等の構成要素には、図１〜５に示した符号と同等の符号を付している。
【００８１】
図６に示されるように、ルータ装置１００Ｂは、電子機器２００と、ＵＳＢケーブル３００により接続されている。ここで、ルータ装置１００Ｂは、例えばモバイルルータである。
【００８２】
図６に示されるように、ルータ装置１００Ｂは、通信部１１０と、ＵＳＢ制御部１２０と、ルータ側二次電池１３０と、充電制御部１４０と、電源制御部１５０と、制御部１６０Ｂと、メモリ１７１と、記憶部１７２と、入力部１７３と、出力部１７４とを備えている。なお、通信部１１０と、ＵＳＢ制御部１２０と、ルータ側二次電池１３０と、充電制御部１４０と、電源制御部１５０と、制御部１６０Ｂと、メモリ１７１と、記憶部１７２と、入力部１７３と、出力部１７４は、ＨＡＢを介して、互いに接続されている。
【００８３】
制御部１６０Ｂは、ＨＡＢに接続されている。制御部１６０ＡＢは、ルータ装置１６０全体の制御を行う。制御部１６０Ｂは、通信部１１０およびＵＳＢ制御部１２０に対して、通信に関する命令を出力する。また、制御部１６０Ｂは、充電制御部１４０に対して、ルータ側二次電池１３０に充電を行わせる命令を出力する。また、制御部１６０Ｂは、電源制御部１５０に対して、ルータ装置１００全体の電源を制御させる命令を出力する。また、制御部１６０Ｂは、入力部１７３に対して、入力部１７３より入力される情報を処理させる命令を出力する。さらに、制御部１６０Ｂは、出力部１７４に対して、ユーザに表示提供する情報を表示させる命令を出力する。
【００８４】
制御部１６０Ａは、モード設定部１６４を備えている。
【００８５】
ここで、図１と図６を対比する。図１では、制御部１６０は、電子機器側二次電子使用状態取得部１６１と、残り時間比較部１６２とを備えていた。これに対して、制御部１６０Ｂは、モード設定部１６４のみを備えている。この点で、図１および図６は互いに相違する。
【００８６】
モード設定部１６４は、長持ちモードに設定する。ここで、長持ちモードとは、ＵＳＢ制御部１２０により電子機器２００が接続されたと判定された場合であって、通信部１１０が外部の通信機器（不図示）との間でデータ通信（例えば、ＥｏＵ通信）を行っている間に、充電制御部１４０が、ルータ側二次電池１３０の蓄電残量が所定の閾値（ルータ側二次電池１３０の充電開始閾値）になるまで、ルータ側二次電池１３０の充電行わないモードである。なお、長持ちモードは、電子機器２００の動作状態（コンセントからの電源供給を受けて動作、または電子機器側二次電池２１０による動作）に影響されない。また、長持ちモードおよび所定の閾値（ルータ側二次電池１３０の充電開始閾値）は、利用者により設定できる。
【００８７】
また、充電制御部１４０は、モード設定部１６４の設定状態と、ルータ側二次電池１３０の蓄電残量とに基づいて、ルータ側二次電池１３０の充電を行う。
【００８８】
次に、ルータ装置１００Ｂの動作について説明する。図７は、ルータ装置１００Ｂの動作の流れを示すフロー図である。なお、図７では、図１〜６で示した各構成要素と同等の構成要素には、図１〜６に示した符号と同等の符号を付している。
【００８９】
図７に示されるように、ルータ装置１００ＡのＵＳＢ制御部１２０が、ＵＳＢケーブル接続を確認する（Ｓ１０１）。
【００９０】
次に、ＵＳＢ制御部１２０は、接続先を確認する（Ｓ１０２）。
【００９１】
以上の通り、ＵＳＢ制御部１２０は、Ｓ１０１およびＳ１０２の処理を通じて、ルータ装置２００が電子機器２００に接続されたか否かを判定する。
【００９２】
次に、接続先が電子機器２００である場合（Ｓ１０３、ＹＥＳ）、制御部１６０ＢはＳ３０４の処理を行う。すなわち、制御部１６０Ｂが、モード設定部１６４の設定状態が長持ちモードＯＮになっているか否かを判断する（Ｓ３０４）。なお、長持ちモードの設定状態は、メモリ１７１に格納されていてもよい。この場合、制御部１６０Ｂは、メモリ１７１に格納されているモード設定部１６４の設定状態を取得し、当該設定状態が長持ちモードＯＮになっているか、またはＯＦＦになっているのかを判定する。そして、制御部１６０Ｂは、モード設定部１６４の設定状態の判定結果を充電制御部１４０へ出力する。
【００９３】
一方、接続先が電子機器２００でない場合（Ｓ１０３、ＮＯ）、制御部１６０はＳ１０９の処理を行う。すなわち、充電制御部１４０は、ルータ装置２００のルータ側二次電池１３０の充電をＯＮとする（Ｓ１０９）。Ｓ１０９の具体的な処理内容は、第１の実施の形態で説明した通りである。
【００９４】
次に、充電制御部１４０は、予め設定された閾値（ルータ側二次電池１３０の充電開始閾値）を、メモリ１７１から取得する（Ｓ３０５）。
【００９５】
次に、充電制御部１４０は、予め設定された閾値（ルータ側二次電池１３０の充電開始閾値）と、ルータ側二次電池１３０の蓄電残量とを比較する（Ｓ３０６）。
【００９６】
ルータ側二次電池１３０の蓄電残量がルータ側二次電池１３０の充電開始閾値より大きいと充電制御部１４０により判断された場合（Ｓ３０６、ＹＥＳ）、Ｓ１０７の処理に遷移する。すなわち、充電制御部１４０は、ルータ装置２００のルータ側二次電池１３０の充電をＯＦＦとする（Ｓ１０７）。Ｓ１０７の具体的な処理内容は、第１の実施の形態で説明した通りである。そして、Ｓ１０７の処理の後、ルータ装置１００は、Ｓ１０４に戻り、Ｓ１０４以降の同じ処理を繰り返す。
【００９７】
一方、ルータ側二次電池１３０の蓄電残量がルータ側二次電池１３０の充電開始閾値より大きくないと充電制御部１４０により判断された場合（Ｓ３０６、ＮＯ）、Ｓ１０８の処理へ遷移する。すなわち、充電制御部１４０は、ルータ装置２００のルータ側二次電池１３０の充電をＯＮとする（Ｓ１０８）。Ｓ１０８の具体的な処理内容は、第１の実施の形態で説明した通りである。そして、充電制御部１４０は、制御部１６０の命令に従って、ルータ側二次電池１３０を充電する。そして、Ｓ１０８の処理の後、ルータ装置１００は、Ｓ１０４に戻り、Ｓ１０４以降の同じ処理を繰り返す。
【００９８】
以上、ルータ装置１００Ｂの動作について説明した。
【００９９】
以上の通り、本発明の第３の実施の形態におけるルータ装置１００Ｂは、本発明の第１の実施の形態におけるルータ装置１００の電子機器側二次電池使用状態取得部１６１および残り時間比較部１６２に代えて、通信部１１０と、モード設定部１６４とを備えている。通信部１１０は、外部の通信機器（不図示）との間でデータを通信する。モード設定部１６４は、長持ちモードに設定する。長持ちモードとは、ＵＳＢ制御部１２０により電子機器２００が接続されたと判定された場合であって、通信部１１０が外部の通信機器（不図示）との間でデータ通信（例えば、ＥｏＵ通信）を行っている間に、充電制御部１４０が、ルータ側二次電池１３０の蓄電残量が所定の閾値（ルータ側二次電池１３０の充電開始閾値）になるまで、ルータ側二次電池１３０の充電行わないモードである。充電制御部１４０は、モード設定部１６４の設定状態と、ルータ側二次電池１３０の蓄電残量とに基づいて、ルータ側二次電池１３０の充電を行う。
【０１００】
このように、充電制御部１４０は、モード設定部１６４の設定状態と、ルータ側二次電池１３０の蓄電残量とに基づいて、ルータ側二次電池１３０の充電を行う。これにより、ルータ装置１００は、自身の消費電力に応じて、自身に搭載されたルータ側電池の充電処理を効率よく制御することができる。
【０１０１】
また、本発明の第３の実施の形態におけるルータ装置１００Ｂにおいて、充電制御部１４０は、モード設定部１６４が長持ちモードに設定された場合であって、ルータ側二次電池１３０の蓄電残量が所定の閾値（ルータ側二次電池１３０の充電開始閾値）より大きい場合、ルータ側二次電池１３０の充電を停止する。これにより、電子機器２００の電子機器側二次電池２１０の電力が無駄に消費されることを抑止できる。この結果、電子機器２００の使用時間を効率よく延ばすことができる。
【０１０２】
また、本発明の第３の実施の形態におけるルータ装置１００Ｂにおいて、充電制御部１４０は、モード設定部１６４が長持ちモードに設定されていない場合、または、ルータ側二次電池１３０の蓄電残量が所定の閾値（ルータ側二次電池１３０の充電開始閾値）より小さい場合、ルータ側二次電池１３０の充電を行う。これにより、電子機器２００の電子機器側二次電池２１０の電荷を効率よくルータ側二次電池１３０に供給できる。この結果、ルータ装置１００Ｂの使用時間を効率よく延ばすことができる。
【０１０３】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１０４】
１００、１００Ａ、１００Ｂ    ルータ装置
１１０    通信部
１１１    ＬＴＥ／３Ｇ制御部
１１２    無線ＬＡＮ／ＢＴ制御部
１２０    ＵＳＢ制御部
１３０    ルータ側二次電池
１４０    充電制御部
１５０    電源制御部
１６０、１６０Ａ、１６０Ｂ    制御部
１６１    電子機器側二次電子使用状態取得部
１６２    残り時間比較部
１６３    送信出力取得部
１６４    モード設定部
１７１    メモリ
１７２    記憶部
１７３    入力部
１７４    出力部
２００    電子機器
２１０    電子機器側二次電池
【図１】
2015177671.tif 000003
【図２】
2015177671.tif 000004
【図３】
2015177671.tif 000005
【図４】
2015177671.tif 000006
【図５】
2015177671.tif 000007
【図６】
2015177671.tif 000008
【図７】
2015177671.tif 000009